(57)【特許請求の範囲】
【請求項１】
軸筒内に筆記体をコイルスプリングにより軸筒後端方向に付勢して配設し、前記軸筒に設けたクリップ装着部に、クリップを装着するとともに、該クリップ又は操作体を操作することにより、前記筆記体の筆記部を出没可能な出没式筆記具において、前記軸筒の後端部に、頭冠をネジ嵌合によって着脱自在に装着し、前記頭冠に、前記筆記体の筆跡を変色又は消色するゴム状弾性を有する弾性部を外面に露出して設け、前記クリップ装着部の後端に、前記頭冠の装着によって閉鎖する開口部を設け、前記頭冠を取り外すことで、前記開口部を介して、前記クリップ装着部にクリップを着脱自在に装着するとともに、前記頭冠が、前記軸筒側に位置して、前記開口部を閉鎖する後端面と、頭冠の先端側から後端面側に向かって延びる側壁とを具備し、前記頭冠の側壁の外面に、長手方向に延びる凹溝を、周方向の異なる位置に複数個設け、前記頭冠の後端部に、前記凹溝及び前記頭冠の後端面に連通する貫通孔を設けたことを特徴とする出没式筆記具。
【請求項２】
前記軸筒の後部に、後方に向かって突出する突部を設け、前記軸筒と頭冠のネジ嵌合終了時に、前記頭冠の後端部に設けた貫通孔と前記突部とが凹凸嵌合することを特徴とする請求項１に記載の出没式筆記具。
【請求項３】
前記クリップの後端部と弾性部との接線が、前記弾性部を下向き、且つ前記軸筒の軸線を紙面に対し垂直上としたとき、４５度以上であることを特徴とする請求項１または２に記載の出没式筆記具。
【請求項４】
前記出没式筆記具が、前記軸筒内に複数の筆記体をコイルスプリングにより軸筒後端方向に付勢して配設し、前記クリップ又は操作体を操作することにより、前記筆記体の筆記部を選択的に出没可能な多芯の出没式筆記具であって、前記頭冠の後端部に設けた貫通孔が、前記筆記体と同数であることを特徴とする請求項１ないし３の何れか１項に記載の出没式筆記具。
【発明の詳細な説明】
【技術分野】
【０００１】
本発明は、軸筒内に筆記体を収容した出没式筆記具に関する。
【背景技術】
【０００２】
従来から、出没式筆記具として、例えば、特開平１１−１４７３９０号「複合繰り出し用具」のように、一方の摺動体の隆起部を前軸の先端開口部方向にスライドすることにより、摺動体の後端部に形成した係止部を軸筒に形成した止め部に係止して、筆記体の筆記先端部を先端開口部から突出した状態を維持し、他方の摺動体の隆起部を前軸の先端開口部方向にスライドせしめることで、他方の摺動体の解除突起が一方の摺動体に当接するとともに、止め部に係止していた一方の摺動体の係止部を係脱させ、一方の筆記先端部を先端開口部より没入させ、さらに他方の摺動体を前進することにより他方の係止部が止め部に係止して筆記体の筆記先端部の突出状態を維持する、筆記先端部を選択して出没可能な出没機構を有する、ボールペンレフィル等、複数の筆記体を軸筒内に収容した構造のスライド式の多芯筆記具等が開示されている。こうした出没式筆記具において、ポケットなどへ挟着することを鑑みて、クリップを具備した出没式筆記具もよく知られている。
【０００３】
また、特開平８−３３２７９８号公報「筆記具」では、軸筒の後端に、ホルダーを設け、このホルダーに消しゴムなどの弾性体を着脱自在に装着し、このホルダー及び消しゴムに通気孔を設けた筆記具が開示されている。
【先行技術文献】
【特許文献】
【０００４】
【特許文献１】特開平１１−１４７３９０号公報
【特許文献２】特開平８−３３２７９８号公報
【発明の開示】
【発明が解決しようとする課題】
【０００５】
しかし、前記した特許文献２など従来の筆記具は、消しゴムなどの弾性体に貫通孔を設けているために、弾性体の強度が低下するため、使用時に、弾性体が破損しやすい問題があった。
【０００６】
また、前記した特許文献１など従来の出没式筆記具は、軸筒の軸心に対し、弾性体とクリップの接線の角度が大きいために、弾性体の使用時に、紙面とクリップが当接し易く、弾性体を使用する角度に制限を有し、弾性体を使用し難い問題があった。
【０００７】
こうした問題を鑑みて、弾性体とクリップの接線の角度を小さくするには、クリップの軸筒から外方に突出する突出量を小さくすること、クリップの後端と弾性体の先端との長手方向の距離を長くすることなどが考えられるが、前者は、クリップと軸筒との間隙が小さくなり、ポケットなど厚手のものを挟持し難く、後者は、筆記具全長が長くなるため筆記具としては使用しにくい構造となってしまう問題があった。
【０００８】
本発明の目的は、クリップを有する出没式筆記具において、軸筒後端部に設けた弾性部を使用し易く、且つ移動時に持ち運び易い出没式筆記具を提供するものである。
【課題を解決するための手段】
【０００９】
上記目的を達成するために、本発明は、軸筒内に筆記体をコイルスプリングにより軸筒後端方向に付勢して配設し、前記軸筒に設けたクリップ装着部に、クリップを装着するとともに、該クリップ又は操作体を操作することにより、前記筆記体の筆記部を出没可能な出没式筆記具において、前記軸筒の後端部に、頭冠をネジ嵌合によって着脱自在に装着し、前記頭冠に、前記筆記体の筆跡を変色又は消色するゴム状弾性を有する弾性部を外面に露出して設け、前記クリップ装着部の後端に、前記頭冠の装着によって閉鎖する開口部を設け、前記頭冠を取り外すことで、前記開口部を介して、前記クリップ装着部にクリップを着脱自在に装着するとともに、前記頭冠が、前記頭冠が、前記軸筒側に位置して、前記開口部を閉鎖する後端面と、頭冠の先端側から後端面側に向かって延びる側壁とを具備し、前記頭冠の側壁の外面に、長手方向に延びる凹溝を、周方向の異なる位置に複数個設け、前記頭冠の後端部に、前記凹溝及び前記頭冠の後端面に連通する貫通孔を設けたことを特徴とする。
【００１０】
また、前記軸筒の後部に、後方に向かって突出する突部を設け、前記軸筒と頭冠のネジ嵌合終了時に、前記頭冠の後端部に設けた貫通孔と前記突部とが凹凸嵌合することを特徴とする。
【００１１】
また、前記クリップの後端部と弾性部との接線が、前記弾性部を下向き、且つ前記軸筒の軸線を紙面に対し垂直上としたとき、４５度以上であることを特徴とする。
【００１２】
さらにまた、前記出没式筆記具が、前記軸筒内に複数の筆記体をコイルスプリングにより軸筒後端方向に付勢して配設し、前記クリップ又は操作体を操作することにより、前記筆記体の筆記部を選択的に出没可能な多芯の出没式筆記具であって、前記頭冠の後端部に設けた貫通孔が、前記筆記体と同数であることを特徴とする。
【００１３】
本願発明の第１の構成によれば、前記軸筒の後部に、頭冠を着脱自在に装着し、前記頭冠に、前記筆記体の筆跡を変色又は消去するゴム状弾性を有する弾性部を外面に露出して設けることで、移動時には、頭冠を取り外すことができ、筆記具全長を短くすることができる。また、所望の頭冠に取り換えも可能となる効果を奏する。
【００１４】
また、前記クリップ装着部の後端に、前記頭冠の装着によって閉鎖する開口部を設け、前記頭冠を取り外すことで、前記開口部を介して、前記クリップ装着部にクリップを着脱自在に装着してあるため、クリップ及び頭冠の装着前に、軸筒にスクリーン印刷やフィルム転写などの加飾を施しやすく、移動時には、クリップを取り外すことができ、筆記具外径を小さくすることができる。
【００１５】
さらにまた、前記頭冠が、前記軸筒側に位置する後端面と、頭冠の先端側から後端面側に向かって延びる側壁とを具備し、前記頭冠の側壁の外面に、長手方向に延びる凹溝を、周方向の異なる位置に複数個設け、前記頭冠の後端部に、前記凹溝及び前記頭冠の後端面に連通する貫通孔又は凹部を設けてあるため、頭冠と軸筒後端部のネジ嵌合時に凹溝に指等が引っかかり、組立性及びクリップの着脱を容易にすることができ、且つ誤って頭冠を呑み込んだ場合でも、前記した貫通孔又は凹部と凹溝が連通しているため、空気を流通することが可能となる。
【００１６】
本願発明の第２の構成によれば、前記軸筒の後端に、後方に向かって突出する突部を設け、前記軸筒と頭冠のネジ嵌合終了時に、前記頭冠の後端部に設けた貫通孔又は凹部と前記突部とが凹凸嵌合することで、頭冠と軸筒とのネジの緩み及び／又は過度なネジ締めを防止することができる。
【００１７】
本願発明の第３の構成によれば、前記クリップの後端部と弾性部との接線が、前記弾性部を下向き、且つ前記軸筒の軸線を紙面に対し垂直状としたとき、４５度以上、好ましくは５０度以上、９０度以下とすることで、ユーザーが弾性部を使用するときに、紙面とクリップとの接触を気にせずに使用することができる。
【００１８】
本願発明の第４の構成によれば、前記出没式筆記具が、前記軸筒内に複数の筆記体をコイルスプリングにより軸筒後端方向に付勢して配設し、前記クリップ又は操作体を操作することにより、前記筆記体の筆記部を選択的に出没可能な多芯の出没式筆記具であって、前記頭冠の後端部に設けた貫通孔又は凹部が、前記筆記体と同数とすることで、組立時に誤った頭冠を装着することを抑制し、且つユーザーが弾性部を使用するときに、紙面とクリップとの接触を気にせずに使用することができる。
【００１９】
尚、本発明のゴム状弾性を有する弾性部には、シリコーンゴム、オレフィン系やポリエステル系の熱可塑性エラストマー等、ゴム状弾性を有する弾性体を適宜用いることができる。また、弾性部は、頭冠と一体に形成又は別部材にて装着してあってもよいが、頭冠を取り外すことで、弾性部も同時に取り外すことができることが肝要である。
【発明の効果】
【００２０】
本発明は、クリップを有する出没式筆記具において、軸筒後端部に設けた弾性部を使用し易く、且つ移動時に持ち運び易い出没式筆記具を提供することができた。
【図面の簡単な説明】
【００２１】
【図１】実施形態の出没式筆記具を示す縦断面図である。
【図２】図１におけるＡ−Ａ断面図である。
【図３】図１における頭冠及びクリップを取り外した状態を示す図である。
【図４】図３における頭冠及び弾性部を示す拡大図である。
【図５】図３における頭冠及びクリップを取り外した矢印Ｆ方向から見た外観図である。
【図６】頭冠の斜視外観図である。
【図７】図１におけるクリップを取り外した状態を示す後方から見た外観図である。
【図８】弾性部を紙面に圧接した状態を示す外観図である。
【発明を実施するための最良の形態】
【００２２】
次に図面を参照しながら、本発明の出没式筆記具の実施の形態を説明するが、本発明は以下の実施形態に限定されるものではない。
【００２３】
図１〜図８に示す実施形態１の出没筆記具１は、前軸２の雄ネジ部２Ｂと後軸３の雌ネジ部３Ｅを螺合により取り付けられる軸筒本体内に複数本（３本）の筆記体が前後方向に移動可能に収容されている。筆記体９の後部には、筆記体９のインキ収容筒１０に収容した筆記具用インキと同色の操作体６を配設してあり、筆記体９は、コイルスプリング１７により後方に付勢してあり、他の筆記体１３は、筆記体９と同様にして、筆記体１３の後部には、筆記体１３のインキ収容筒１４に収容した筆記具用インキと同色の操作体２２を配設してある。操作体２３を配設したもう一方の筆記体は、詳細は図示していないが、３本の筆記体を配設した従来から知られているスライド式の出没機構を具備する多芯の出没式筆記具である。
【００２４】
実施形態の筆記体９は、インキ収容筒１０の先端部に、φ０．５ｍｍのボールを回転自在に抱持したボールペンチップからなる筆記部１２を、チップホルダー１１を介して装着してある。また、インキ収容筒１０内には、平均粒径が５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の筆記具用水性インキと、このインキの後端に、グリース状のインキ追従体（図示せず）を直に収容してある。尚、インキ粘度は、ＥＭ型回転粘度計における１００ｒｐｍ、２０℃において、４０〜２００ｍＰａ・ｓとすることが好ましい。
【００２５】
後軸３の後部には、前後方向に延びる細長状の摺動溝３Ａ、３Ｂ、３Ｃが３本、形成してあり、互いに、１２０度間隔に形成される。また、摺動溝３Ａ、３Ｂ、３Ｃは、後方が開口していて、後軸３の後端で連通する開口部３ＡＡ、３ＢＡ、３ＣＡを有している。後軸３の後端部は略円筒状であって、後軸３の外面には予めフィルム転写を施してある。
【００２６】
後軸３内には、略円筒状のスプリング支持部７を固着している。スプリング支持部７は、筆記体９、１３等、３本の筆記体が挿通される内孔が軸方向に貫設し、スプリング支持部７と、各々の操作体６間には、コイルスプリング１７が配置し、筆記体９及び摺動体６を後方に付勢してある。尚、図示はしていないが、他の操作体２２、２３も操作体６と同様に、スプリング支持部７と、各々の操作体間には、コイルスプリングが配置し、筆記体及び摺動体を後方に付勢してある。
【００２７】
また、後軸３の後部、且つ後軸３の摺動溝３Ｂ、３Ｃ間には、長手方向に沿って延びる凹状の装着部３Ｄを形成してあり、この装着部３Ｄにクリップ２０を付設してある。装着部３Ｄは、後軸３の後端に開口部３ＤＡを有していて、開口部３ＤＡと装着部３Ｄとが連通している。この装着部３Ｄに、クリップ２０のクリップ片１９を装着するクリップ台１８を挿入し、後軸３の後方側から前軸２側に押し込むことで、クリップ台１８に設けた突起が、装着部３Ｄに設けた突起との乗り越し嵌合によって、後軸３にクリップ台１８を着脱自在に付設してある。
【００２８】
また、後軸３の後部には、雄ネジ部３Ｆを設けてあり、この雄ネジ部３Ｆに、頭冠４の雌ネジ部４Ａをネジ嵌合によって着脱自在に装着してある。頭冠４を後軸３に装着すると、後軸３の後端に設けた突部３Ｇが、頭冠４の後端部に設けた貫通孔４ＣＢとが凹凸嵌合して、頭冠４と後軸３とのネジ嵌合の緩みを抑制してある。この頭冠４を取り外すことで、後軸３の後端を露出することができ、筆記具全長Ｌから筆記具全長Ｍに短くすることができる。
【００２９】
頭冠４は、後軸３の後部に当接する後端面４Ｄと、頭冠４の先端から後端面側に向かって拡径して延びる傾斜状の側壁４Ｃとを具備している。この側壁４Ｃの外面に長手方向に延びる凹溝４ＣＡを、周方向の異なる位置に３個設けてあり、頭冠４を後軸３にネジ嵌合する時に、指が凹溝４ＣＡに引っ掛かり、ネジ嵌合し易くしてある。また、凹溝４ＣＡは、頭冠４の後端部に形成した貫通孔４ＣＢに連通してある。このように、頭冠４の壁部４Ｃが先端に向かって縮径する傾斜状とすること、及び頭冠４の壁部４Ｃに凹溝４ＣＡを設けることで、弾性部５の使用時に、筆跡が視認し易くなるので好ましい。また、頭冠４の後端部に貫通孔４ＣＢを形成することで、強度の低下、及び後端面４Ｄの面積の減少を抑制するので好ましい。
【００３０】
さらにまた、頭冠４には、ゴム状弾性を有する弾性部５を具備している。具体的には、頭冠４に設けた嵌合突部４Ｂに、シリコーンゴムからなる弾性体（弾性部）５の突部５Ａを落とし込み嵌合によって、容易に抜けないように装着してある。
【００３１】
筆記体８のボールペンチップからなる筆記部１１を前軸２の先端開口部２Ａから突出させるには、操作体６の操作部６Ａを、摺動溝３Ａに沿って、前軸２の先端開口部２Ａ方向へスライドすることにより、操作体６に形成した係合突起６Ｂが後軸３内に形成した係止部（図示せず）に係止して、筆記体９の筆記部１１を前軸の先端開口部２Ａから選択して突出を維持して、筆記することができる。また、本実施形態においては、弾性部５を筆記面Ｔに圧接し、擦ることで発生する熱によって、筆跡を変色させることができる。このとき、クリップ片１９の後端部と弾性部５との接線Ｓの角度αは、軸筒の軸線Ｊに対し４０度であった。
【００３２】
また、筆記体８の筆記部１１が前軸の先端開口部２Ａから突出を維持した状態で、他の摺動体２１の操作部２１Ａを前軸２の先端開口部２Ａ方向にスライドすることで、摺動体２０の解除突起が摺動体６の係止を解除し、コイルスプリング１７により筆記体８の筆記部１１を前軸２内に没入させることができる。
【００３３】
クリップ２０は、クリップ片１９を、クリップ台１８の外壁に設けられた支柱１８に連結し、クリップ片１９の内壁とクリップ台１８との間であって支柱１８Ａの後方に配設されるコイルスプリング２１によって、クリップ片１９の先端部の内壁を常時、クリップ台１８の外壁の外面に弾性的に反発させるとともに、クリップ片１９の後端部をクリップ台１８側へ押圧することにより連結部を支点としクリップ台１８に対しクリップ片１９の先端部の内壁をクリップ台１８から離間可能に配設してある。
【００３４】
頭冠４が後軸３の後端を閉鎖した状態から、後軸３と頭冠４のネジ嵌合３Ｃ、４Ａを外し、後軸３の後端を露出させる。装着部３Ｄは、後軸３の後端に開口部３ＤＡを有していて、開口部３ＤＡと装着部３Ｄとが連通しているので、この状態であればクリップ２０を取り出すことができる。
【００３５】
本実施形態では、便宜上、ボールペンを３本配設してあるが、筆記体には、例えば、ボールペン、マーキングペン、シャープペンシル等が挙げられる。また、筆記体の本数は、１本、２本以上等、特に限定されるものではない。
【００３６】
また、クリップの形状も特に限定されないが、クリップが、クリップ片とクリップ台とからなり、クリップ台の先端部に、前記クリップ片に向かって突出する係止部を形成し、該係止部が、軸筒表面から突出することで、クリップ片とクリップ台との挟持力を高めることができるので好ましい。さらにまた、クリップが、クリップ片とクリップ台との間に配設したコイルスプリングによって、クリップ片の先端部を常時、クリップ台の外面に弾性的に圧接するとともに、クリップ片の後端部をクリップ台側へ押圧することにより、クリップ片とクリップ台との連結部を支点としクリップ台に対しクリップ片の内壁の先端部を軸筒から離間可能に配設してあるため、クリップ片とクリップ台との挟持力を高めることができ、クリップを取り外して使用することもできるので好ましい。
【００３７】
さらにまた、頭冠の側壁の外面に設ける凹溝の数や大きさも特に限定されるものではなく、側壁の外面の一部又は全面に長手方向に延びる凹溝を複数個、設けてあればよい。
【００３８】
また、筆記具用インキも特に限定されるものではないが、粒子の平均の大きさが、体積基準で０．１〜３０μｍの顔料を含有し、前記ボールの縦方向のクリアランスが、３０〜８０μｍ、１００ｍ当たりのインキ消費量が、２００〜８００ｍｇとすることで、濃く良好な筆跡及び良好な筆感を得ることができる。これは、ボールの縦方向のクリアランスが３０μｍ未満では、粒子の平均の大きさが０．１〜３０μｍの顔料を有する筆記具用水性インキにおいて、１００ｍ当たりのインキ消費量が２００〜８００ｍｇのようなインキ消費量を多くすることが困難であるとともに、８０μｍを超えると、インキ消費量が多く、筆跡乾燥性が低下する恐れがあるため、３０から８０μｍとすることが最も好ましいためである。
【００３９】
本実施例では、便宜上、操作体をスライドして係止する出没式筆記具を例示しているが、クリップをスライドして回転カムを作動する回転カム機構や回転操作により、筆記部を軸筒前端開口部から出没させる機構等、ノック式、スライド式、回転式等、特に限定されるものではない。
【産業上の利用可能性】
【００４０】
本発明の多芯筆記具は、インキの種類に限定されることなく、多芯筆記具として広く実施可能である。
【符号の説明】
【００４１】
１  出没式筆記具
２  前軸
２Ａ  先端開口部
３  後軸
３Ａ、３Ｂ、３Ｃ  摺動溝
３Ｄ  装着部
３ＤＡ  開口部
３Ｆ  雄ネジ部
３Ｇ  突部
４  頭冠
４Ａ  雌ネジ部
４Ｂ  嵌合突部
４Ｃ  側壁
４ＣＡ  凹溝
４ＣＢ  貫通孔
４Ｄ  後端面
５  弾性部
６、２２、２３  摺動体
６Ａ  操作部
７  スプリング支持部
９、１３  筆記体
１０、１４  インキ収容筒
１２、１６  筆記部
１７  コイルスプリング
１８  クリップ台
１９  クリップ片
２０  クリップ
【図１】
0005932412.tif 000002
【図２】
0005932412.tif 000003
【図３】
0005932412.tif 000004
【図４】
0005932412.tif 000005
【図５】
0005932412.tif 000006
【図６】
0005932412.tif 000007
【図７】
0005932412.tif 000008
【図８】
0005932412.tif 000009